(57)【特許請求の範囲】
【請求項１】
被測定荷重を負荷するための皿に係合する天びんビームにフォースコイルを固着し、かつ、そのフォースコイルを磁気回路が作る磁場中に可動に配置するとともに、上記ビームの回動位置を位置センサで検出して、その検出結果が一定となるように上記フォースコイルに流す電流を制御することによって当該ビームを平衡させ、その平衡状態でフォースコイルに流れる電流の大きさから被測定荷重の大きさを計測する電子天びんにおいて、上記磁気回路と位置センサとが、相互に一体化された状態で基体に固定されているとともに、それら磁気回路と位置センサとは一体化された状態で前記基体への固定位置を移動調整し得るように構成されていることを特徴とする電子天びん。
【発明の詳細な説明】
【０００１】
【発明の属する技術分野】
本発明は電磁力平衡型の電子天びんに関する。
【０００２】
【従来の技術】
電磁力平衡型の電子天びんにおいては、一般に、図２にその概略構成図を模式的に示すように、被測定荷重を負荷するための皿１が、可動柱２１、上下の平行な梁２２ａ，２２ｂ、および基体１０と一体構造の固定柱２３からなるロバーバル機構２の可動柱２１によって支承される。また、その可動柱２１には、基体１０に固着された支点バネ３１を中心として回動自在に支承された天びんビーム３の一端が連結され、そのビーム３の一端に皿１上の被測定荷重が伝達される。また、このビーム３には、磁気回路４１が作る磁場中で可動のフォースコイル４２が固着されるとともに、そのビーム３の回動位置が位置センサ５で検出され、その位置検出結果が一定の位置となるようにフォースコイル４２に流れる電流が制御されることによって、このフォースコイル４２と磁気回路４１で構成される電磁力発生装置４が被測定荷重に対応した電磁力を発生し、ビーム３の姿勢が水平の平衡状態に維持される。そして、そのビーム３の平衡状態においてフォースコイル４２に流れる電流から、被測定荷重の大きさが算出される。なお、位置センサ５は、例えば発光素子と２つの受光素子によって構成された非接触式のもので、発光素子からの出力光の各受光素子への入射量が天びんビーム３の先端部の位置に応じて変化することを利用している。
【０００３】
電磁力発生装置４についてより詳しく説明すると、図３にその構成例を断面図で示すように、磁気回路４１は、永久磁石４１ａ，４１ｂとこれらの間に配置されるポールピース４１ｃ、および、これらを収容し、かつ、基体１０に固定されるヨーク４１ｄによって構成され、ポールピース４１ｃの外周面とヨーク４１ｄの内周面との間に形成される筒状の空間に一様な静磁場が形成されるようになっており、フォースコイル４２にはその空間中に置かれてその静磁場の方向に直交する方向に電流が流され、その電流と磁場の強さに比例した電磁力を発生できるようになっている。
【０００４】
【発明が解決しようとする課題】
以上のような電磁力平衡型の電子天びんにおいては、天びんビーム３の平衡状態における姿勢は位置センサ５の位置によって決まる。また、フォースコイル４２はビーム３に固着されているため、ビーム３の平衡状態におけるフォースコイル４２の位置は必然的に定まり、磁気回路４１の配設位置との関連においてこのフォースコイル４２の磁気回路４１中での位置が決まる。
【０００５】
ところで、ビーム３は支点バネ３１によって回動自在に支承されるが、ビーム３の平衡状態においてはその支点バネ３１が余り歪まないようにすることが、ビーム３の変位によるゼロドリフトを生じさせない上で望ましく、また、ビーム３の平衡状態を中心とした振動時に、支点バネ３１の回復力（バネ力）がその振動の両側において等しく作用し、そのときの荷重データの平均値を正確なものとする上で望ましい。従って、この点においては、そのような支点バネ３１が歪まない状態でビーム３が平衡するように、組み立て時において位置センサ５の基体１０への取り付け位置を調整することが望ましい。
【０００６】
一方、磁気回路４１が作る磁界は、前記したように筒状の磁場空間において一様となるように工夫されるものの、図３に示したｚ方向各位置での磁界の強さは、図４に例示するように、ポールピース４１ｃの中心からある程度以上離ると一様ではなくなる。従って、フォースコイル４２の磁気回路４１中での位置が磁界強さの一様な領域から逸脱すれば、フォースコイル４２に流れる電流と発生電磁力との間の相関がくずれるため、このフォースコイル４２は、ビーム３の平衡状態においてポールピース４２ｃの中心に位置するように組み立てることが望ましく、その位置から離れた状態で組み立てられた場合には、当初に不具合が生じなくても、経時的な位置センサの僅かな位置変動によって上記の相関がくずれて、電子天びんの感度変化が生じるという問題がある。
【０００７】
さて、天びんメカニズムの組み立てに際しては、支点バネ３１が歪まない状態でビーム３の姿勢を定めるような治具を用意し、その状態で位置センサ５が平衡状態を表す位置検出信号を出力するよう、位置センサ５の位置を合わせる方法等が採用されるが、これにより、位置センサ５の位置を最適な位置に合わせることができる。
【０００８】
ここで、天びんメカニズムを構成する各部材は、以上の調整により、他の部材間の位置関係、具体的にはビーム３の平衡状態におけるフォースコイル４２と磁気回路４１との位置関係が最適となるように設計される。しかし、特に長尺のビーム３は、その全数を反りや曲がりが全く生じないように加工することは困難であり、このような反りや曲がりがある程度生じているビーム３を組み込む場合には、位置センサ５の位置調整を行うことによって、ビーム３の平衡状態におけるフォースコイル４２と磁気回路４１との位置関係が最適ではなくなり、前記した問題が生じてしまう。
【０００９】
本発明はこのような実情に鑑みてなされたもので、天びんビームにある程度の反りや曲がりが生じていても、位置センサを最適な位置に位置決めすると同時に、ビームの平衡状態におけるフォースコイルと磁気回路との位置関係を容易に最適な状態として組み立てることのできる構造を持つ電子天びんの提供を目的としている。
【００１０】
【課題を解決するための手段】
本発明の電子天びんは、被測定荷重を負荷するための皿に係合する天びんビームにフォースコイルを固着し、かつ、そのフォースコイルを磁気回路が作る磁場中に可動に配置するとともに、上記ビームの回動位置を位置センサで検出して、その検出結果が一定となるように上記フォースコイルに流す電流を制御することによって当該ビームを平衡させ、その平衡状態でフォースコイルに流れる電流の大きさから被測定荷重の大きさを計測する電子天びんにおいて、上記磁気回路と位置センサとが、相互に一体化された状態で基体に固定されているとともに、それら磁気回路と位置センサとは一体化された状態で前記基体への固定位置を移動調整し得るように構成されていることによって特徴づけられる。
【００１１】
位置センサを最適位置に調整したとき、ビームの平衡状態におけるフォースコイルと磁気回路との位置関係が最適状態からずれる理由は、ビームの反りや曲がり等に起因して、位置センサの取り付け位置と、ビームの平衡状態におけるフォースコイルの位置が設計上での最適位置から逸脱するからに他ならない。本発明の構成によれば、天びんメカニズムの組み立て時において、位置センサを最適位置に調整したとき、ビームの反りや曲がりに起因して位置センサ並びにフォースコイルが設計上の最適位置から逸脱しても、位置センサと磁気回路が一体化されているが故に、その逸脱量に応じて磁気回路の基体への取り付け位置も変化する。従って、前記した治具等を用いた位置センサの位置調整により、実質的に磁気回路も位置調整されて、ビームの平衡状態におけるフォースコイルとの位置関係が最適な状態となる。
【００１２】
【発明の実施の形態】
図１は本発明の実施の形態の天びんメカニズムの要部構成図である。
被測定荷重を載せるための皿１はロバーバル機構２の可動柱２１に支承されている。ロバーバル機構２は可動柱２１を上下の梁２２ａ，２２ｂによって固定柱２３に支承したものであり、従来と同様に固定柱２３は基体１０と一体構造とされている。
【００１３】
天びんビーム３は、支点バネ３１によって基体１０に対して回動自在に支承されているとともに、その一端が連結部材３２を介して可動柱２１に連結され、他端側にはフォースコイル４２が固着されている。また、このビーム３の回動位置は、ビーム３の他端部に設けられた前記したものと同等の非接触式の位置センサ５によって検出される。
【００１４】
フォースコイル４２は前記した図３に示したものと同等の磁気回路４１内に可動に設けられ、これらで電磁力発生装置４を構成するが、この磁気回路４１は、基体１０に対してブラケット６を介して取り付けられている。ブラケット６は、磁気回路４１を固着する水平部６１と、基体１０に形成された垂直面に複数のネジＢにより固定される鉛直部６２とからなり、この鉛直部６２には、各ネジＢを貫通させた状態で少なくとも上下方向に移動可能な貫通孔Ｈが形成されている。
【００１５】
また、上記の位置センサ５は、この例においては基体１０に直接的に固着されておらず、持ち出し部材７を介して磁気回路４１のヨーク４１ｄに対して固着されており、従ってこの位置センサ５は磁気回路４１と一体化された状態で基体１０に固定されることになる。
【００１６】
以上の本発明の実施の形態は、組み立て時において例えば以下のような調整を行うことによって、各部材を容易に最適な位置関係のもとに組み立てることができる。
【００１７】
すなわち、位置センサ５と磁気回路４１とを持ち出し部材７によってあらかじめ一体化してブラケット６の水平部６１に固着しておく。また、ブラケット６はその垂直部６２においてネジＢによって基体１０に仮止めしておく。
【００１８】
そして、ビーム３および基体１０の支点バネ３１の固着面に対し、これらが共通の鉛直面上に位置させた状態で位置決めできるような適当な治具を当接させてることによって、ビーム３の姿勢を支点バネ３１の歪みが無くなるような姿勢に規制した状態で、位置センサ５の上下方向位置を変化させてその出力がビーム３の平衡状態を表す出力となる位置を探索し、その位置でブラケット６をネジＢにより基体１０に固定する。
【００１９】
この状態では、位置センサ５は、ビーム３が平衡状態において支点バネ３１を歪ませない最適な位置に位置決めされた状態となる。そして、この状態において、ビーム３に反りや曲がりがあってその位置センサ５の位置が設計上の最適位置から逸脱して、その分、ビーム３の平衡状態におけるフォースコイル４２の位置が設計上の最適位置から逸脱していても、それに対応して位置センサ５の位置決め時に磁気回路４１が移動するため、フォースコイル４２と磁気回路４１との位置関係についても、自動的にフォースコイル４２がポールピース４２ｃの略中心に位置する最適な位置関係に調整されることになる。
【００２０】
以上のような調整を行って組み立てられた本発明の実施の形態は、従って、ゼロドリフトが少なく、かつ、感度の安定した電子天びんとなる。
なお、本発明は、位置センサと磁気回路とが一体化された状態で基体に固定されていることを特徴とするものであって、位置センサと磁気回路との一体化のための構造や、磁気回路の基体への取り付け構造等については、以上の実施の形態で例示した構造に限定されることなく、上記の特徴を達成できるものであれば任意の構造を採用し得ることは勿論である。
【００２１】
【発明の効果】
以上のように、本発明によれば、天びんビームの位置を検出するための位置センサと、電磁力発生装置の磁気回路とを一体化した状態で、それら位置センサ及び磁気回路の位置を移動調整することが可能であるので、ビームの平衡状態においてその支点バネに歪みを生じさせないように位置センサを最適位置に位置決めしたとき、それと一体的に磁気回路が移動するから、ビームに反りや曲がりがあって位置センサが設計上の最適位置から逸脱しても、それに対応して磁気回路の位置が変化し、フォースコイルとの位置関係は常に最適な関係に保たれる。従って、本発明によれば、組み立て時における簡単な調整により、ゼロドリフトが少なく、かつ、感度の安定した天びんを容易に得ることができる。
【図面の簡単な説明】
【図１】本発明の実施の形態の天びんメカニズムの要部構成図
【図２】従来の電磁力平衡型の電子天びんの天びんメカニズムの概略構成図
【図３】その電磁力発生装置４の詳細構成を示す断面図
【図４】図３の電磁力発生装置４が作る磁場空間のｚ方向各位置での磁界強さを例示するグラフ
【符号の説明】
１  皿
２  ロバーバル機構
２１  可動柱
３  天びんビーム
３１  支点バネ
４  電磁力発生装置
４１  磁気回路
４１ｄ  ヨーク
４２  フォースコイル
５  位置センサ
６  ブラケット
７  持ち出し部材
１０  基体
【図１】
0003588941.tif 000002
【図２】
0003588941.tif 000003
【図３】
0003588941.tif 000004
【図４】
0003588941.tif 000005